(57)【特許請求の範囲】
【請求項１】
ロール状に巻かれたポリエチレン、ポリプロピレン、ポリメチルペンテン、ポリプロピレンなどの自己密着性の乏しいラップフィルムが収納されるカートン本体の開口部の一側縁に蓋体が開閉自在に連設され、所望の長さに引き出した前記ラップフィルムを、前板とその前記前板を覆う位置に設けられた前記蓋体の掩蓋片との間で押圧し、切断刃で切り取り使用するラップフィルム収納カートンにおいて、少なくとも前記前板の前記掩蓋片と重なり合う一部に、前記ラップフィルムを保持するためのラップフィルム保持部を設け、該ラップフィルム保持部をシリコンの含有量が５０％以下であるシリコン変性アクリル樹脂を主成分とする樹脂の塗布層により形成し、溶剤成分の加熱乾燥により乾燥した塗膜層を形成したことを特徴とするラップフィルム収納カートン。
【発明の詳細な説明】
【０００１】
【産業上の利用分野】
本発明は、ロール状に巻かれたラップフィルムを収納したラップフィルム収納カートンに係るものであり、詳しくはフィルム端の巻き戻り防止機能の改良技術に関するものである。
【０００２】
【従来の技術】
従来、ラップフィルムのフィルム端の巻き戻りを防止する機能を有したラップフィルム収納カートンは公知である。このラップフィルム収納カートンでは、カートンの内部に収納されているロール状のラップフィルムを所望の長さに引き出し、カートン本体の前板とこの前板を覆う蓋体の掩蓋片との間で押圧された状態にしたラップフィルムを切断刃によって切り取り使用している。この時、つぎに引き出す時の最先端となるラップフィルム端が、引き出された状態のままでカートンの外側に残らずに、カートンの内部に巻き戻ってしまうことがしばしば生じ、次に引き出すことを困難にしている。この巻き戻りを防止するために、ラップフィルムを切断する際に押し当てられる前板に何らかの巻き戻り防止機能を設けたラップフィルム収納カートンが種々提案されている。
【０００３】
即ち、巻き戻り防止機能としては、ラップフィルム収納用カートンを構成している前板にラップフィルム保持部として感圧粘着剤層を設け、その前板を覆う位置に重ねられた掩蓋片に連設された開封片を剥がして除去したときに、感圧粘着剤層をカートンの表面に露出させ、その感圧粘着剤層により切断後のラップフィルム端を保持し巻き戻りを防止する方法がある。
【０００４】
また、カートン全体あるいは前板の表面をフィルムでラミネートし、平滑な面として、その表面の平滑性を利用して、ラップフィルムの自己密着性により、そのラップフィルム端部を保持する方法もある。
【０００５】
さらに、特開昭６４−９１５１号公報には、カートンの前板とその前板を覆う位置に設けられた掩蓋片とが重なる部分の前板の表面、又は掩蓋片の裏面に、架橋性硬化ニスからなる平坦な塗布層を設け、この塗布層の平滑面に対するラップフィルムの自己密着性を利用して保持する方法等もある。
【０００６】
【発明が解決しようとする課題】
しかし、前述のような従来の方法では、例えば最初の粘着剤を使用する方法の場合は、粘着剤自体の粘着力が強すぎるとラップフィルムが強く接着しすぎて、ラップフィルムを引き出す際にラップフィルム切れを生じ、また、粘着剤塗布面には徐々にちりやほこり等が付着し、ラップフィルム保持性が低下すると共に、不衛生になる欠点がある。
【０００７】
また、カートン全体あるいは前板の表面に平滑なフィルムをラミネートし、その平滑な表面の前板に、フィルムの自己密着性を利用してラップフィルムを保持する方法は、自己密着性のあるポリ塩化ビニリデンなどのラップフィルムでは、保持安定性は良好であるが、ポリエチレン、ポリプロピレン、ポリメチルペンテン、ポリプロピレンなどの自己密着性の乏しいラップフィルムでは、密着が弱くフィルムを保持する機能が十分ではない。そして、カートン表面にラップフィルムを保持できる程度の平滑性を付与するためには、通常、１０μｍ以上の厚いフィルムをラミネートする必要がありコスト高になる欠点がある。
【０００８】
この点、架橋性硬化ニスで平坦な塗布層をカートンの前板の表面、又は掩蓋片の裏面に設け、その平滑性を利用してラップフィルムを保持する方法は、前記のフィルムをラミネートする方法に比べると、材料費では安くなるが、表面に平滑なフィルムをラミネートを設けるのと同様に、自己密着性のあるポリ塩化ビニリデンなどのラップフィルムの保持安定性は良好であるが、ポリエチレン、ポリプロピレン、ポリメチルペンテン、ポリプロピレンなどの自己密着性の乏しいラップフィルムでは、密着が弱くラップフィルムを保持する機能が十分ではない。さらに、架橋、硬化のために電子線照射装置や紫外線照射装置、或いは、熱線照射装置など、特別な硬化装置を必要とし、通常のグラビア印刷機などにより高速で加工することができず、結果として加工費のコストアップを招くという問題がある。
【０００９】
本発明は、上記の問題点を解決するために見出されたもので、その目的とするところは、切断後のラップフィルム端のカートン内への巻き戻りを防止するラップフィルム保持部を、ポリエチレン、ポリプロピレン、ポリメチルペンテン、ポリプロピレンなどの自己密着性の乏しいラップフィルムに対して密着性の良好な樹脂の塗布層で形成することとし、さらに、その塗布層の形成に当たっては、特別な硬化装置などを必要とせず、通常のグラビア印刷機などにより容易に形成できるという、性能と生産性に優れたラップフィルム保持部を有するラップフィルム収納カートンを提供することにある。
【００１０】
【課題を解決するための手段】
上記課題を解決するためになされた本発明は、ロール状に巻かれたポリエチレン、ポリプロピレン、ポリメチルペンテン、ポリプロピレンなどの自己密着性の乏しいラップフィルムが収納されるカートン本体の開口部の一側縁に蓋体が開閉自在に連設され、所望の長さに引き出した前記ラップフィルムを、前板とその前記前板を覆う位置に設けられた前記蓋体の掩蓋片との間で押圧し、切断刃で切り取り使用するラップフィルム収納カートンにおいて、少なくとも前記前板の前記掩蓋片と重なり合う一部に、前記ラップフィルムを保持するためのラップフィルム保持部を設け、該ラップフィルム保持部をシリコン変性アクリル樹脂を主成分とする樹脂の塗布層により形成し、溶剤成分の加熱乾燥により乾燥した塗膜層を形成したことを特徴とするラップフィルム収納カートンである。
【００１１】
本発明によれば、切断後のフィルム端のカートン内への巻き戻りを防止するラップフィルム保持部を、ポリエチレン、ポリプロピレン、ポリメチルペンテン、ポリプロピレンなどの自己密着性の乏しいラップフィルムに対して密着性の良好な樹脂の塗布層で形成することとし、さらに、その塗布層の形成に当たっては、特別な硬化装置などを必要とせず、通常のグラビア印刷機などにより容易に形成できるという、性能と生産性に優れたラップフィルム保持部を有するラップフィルム収納カートンを得ることが出来る。
【００１２】
【発明の実施の形態】
以下図面に基づいて発明の実施の形態について詳細に説明する。
本発明のラップフィルム収納カートンにおいて、ラップフィルムのカートン内への巻き戻りを防止するためのシリコン変性アクリル樹脂を主成分とする樹脂の塗布層により形成したラップフィルム保持部の部位は、カートンの形状、具体的にはラップフィルムを切断する切断刃の取り付け位置により異なるものである。ラップフィルム保持部を設ける場所は、カートン本体からラップフィルムが引き出され、切断された後、ラップフィルムがカートンに接触する面であればどこでもよく特に限定はされない。只、一般的にはラップフィルムを切断する際、カートン本体の前板とこれに重なる掩蓋片との間でラップフィルムを挟んで、外側から押さえながら切断するため、ラップフィルムはカートンの前板に押しつけられ密着し易くなる。従って、ラップフィルム保持部は、この前板表面のラップフィルムが挟まれる位置に設けることが好ましい。また、このラップフィルム保持部の大きさおよび形状は自由であり、ラップフィルムの材質やカートン形状或いは切断刃の取り付け位置などによりラップフィルムを保持する機能が安定するように自由に決めてよい。
【００１３】
図１〜図３に、ラップフィルムの切断刃の形と取り付け位置とが異なるラップフィルム収納カートンの代表的な例をあげ、それぞれについて適切なラップフィルム保持部の部位は、ラップフィルムを切断する際に、ラップフィルムがカートン表面に強く押しつけられる位置を含んだ領域にあることが好ましく、その結果、ラップフィルムを切断する操作により自然にラップフィルムがラップフィルム保持部に押しつけられて密着し、保持されるようになる。
【００１４】
図１は、本発明によるラップフィルム収納カートンの第一の実施の形態を示す斜視図であり、開封した時の状態を示している。なお、図４にこの形態のラップフィルム収納カートンの展開図を示し、各部の名称を記載したので、これを用いて説明する。また、図２、図３に示した形態のカートンについても、この名称を流用して説明することとする。
【００１５】
このラップフィルム収納カートンＡの特徴は、鋸刃状のフィルム切断刃Ｈが、直線状であり、その取り付け位置は、掩蓋片１５に設けた直線状の切り取り線Ｌの先の開封片１６を剥離し、取り除いた際、刃先が僅かに突き出るように、掩蓋片１５の裏面に、切り取り線Ｌに掛かるように取り付けられる。そして、この形式の場合、ラップフィルム保持部Ｐは、ラップフィルム収納カートンＡの前板１１の表面の略図で示した位置に設けることが好ましい。この位置に設けることにより、引き出したラップフィルムＦを切断する際、ラップフィルム収納カートンＡの掩蓋片１５と前板１１との間に挟まれたラップフィルムＦを、掩蓋片１５の外側から、手で前板１１の表面に押しつけるように固定して切断するため、ラップフィルムＦがラップフィルム保持部Ｐに押しつけられ、よく密着するようになる。
【００１６】
なお、図１と同様に図２に示したラップフィルム収納カートンＢは、それぞれの形式のラップフィルム収納カートンの開封後の状態を示しているため、図４に示した掩蓋片１５に設けた切り取り線Ｌより先の部分は開封片１６でもあり、開封に際して剥離、除去されており表示されていない。
【００１７】
図２は、本発明のラップフィルム収納カートンの第二の実施の形態を示す斜視図である。このラップフィルム収納カートンＢの特徴は、図１のラップフィルム収納カートンＡとは異なり、図に示されているように鋸刃状のフィルム切断刃ＨがＶ字形をしていることである。従って、掩蓋片１５には切断刃Ｈと同形のＶ字形の切り取り線Ｌを設け、その先の開封片１６を剥離し、除いたときに、Ｖ字形の切断刃Ｈの刃先が僅かに突き出るようにするため、切断刃Ｈは掩蓋片１５に裏面の、切り取り線Ｌに掛かる位置に取り付けられる。そして、ラップフィルムＦの切断の際には、掩蓋片１５のＶ字形の先端部に近い位置でラップフィルムＦを押さえながら、ラップフィルムＦの中心部から両サイドに向かってラップフィルムＦを切断するものであるため、ラップフィルム保持部Ｐは、図に示したように、ラップフィルム収納カートンＢの前板１１の表面の中央やや上寄りの位置に設けることが、ラップフィルムＦを密着させ易い点で好ましい。
【００１８】
図３は、本発明のラップフィルム収納カートンの第三の実施の形態を示す斜視図である。このラップフィルム収納カートンＣにおいて、フィルム切断刃Ｈは、ラップフィルム収納カートンＣが組立てられた時に、鋸刃状の切断刃Ｈの刃先がラップフィルム収納カートンＣの底板１２から僅かに前方、即ち、前板１１側に突き出るように、底板１２の表面に取り付けられている。そして、ラップフィルム保持部Ｐは、図示したように、ラップフィルム収納カートンＣの前板１１の表面で、掩蓋片１５とフィルム切断刃ＨによりラップフィルムＦが押さえられる位置に設けられる。
【００１９】
図４は、先に説明した図１の本発明の第一の実施の形態であるラップフィルム収納カートンＡのブランクの展開図である。ラップフィルム収納カートンＡのブランク１０は、図に示すように、折り曲げ線ａ、ｂ、ｃを介して連設された前板１１、底板１２、後板１３および蓋板１４を有しており、前板１１の側縁には折り曲げ線ｅを介して折り込み片１７が、また、蓋板１４の側縁には折り曲げ線ｄを介して掩蓋片１５がそれぞれ連設されている。掩蓋片１５には、切り取り線Ｌを介して開封片１６が連設されている。この開封片１６は前記切り取り線Ｌにより切り離し可能である。この切り取り線Ｌは、ミシン目、リード罫など切り取り易い形で形成する。また、開封片１６には長手方向に沿って等間隔に同じ向きの半円状の切り込み２３が複数個形成されている。
【００２０】
前板１１、底板１２、後板１３、蓋板１４および掩蓋片１５のそれぞれの両端位置には、折り曲げ線ｆ、ｆ´を介してそれぞれ第一側片１８、１８´、側板１９、１９´、第二側片２０、２０´、側蓋板２１、２１´、および側蓋片２２、２２´が連設されている。ここで、側板１９、１９´の長さは前板１１および後板１３の幅と略同寸とされ、第一側片１８、１８´、第二側片２０、２０´の長さは側板１９、１９´より短くされている。また、側蓋板２１、２１´の長さは、側板１９、１９´の長さの略半分とされ、また、側蓋片２２、２２´の長さは蓋板１４の幅より短くされている。
【００２１】
また、前板１１の表面には、図に示すように、ラップフィルム収納カートンＡに形成された時に開封片１６の半円状の切り込み２３と接触する位置に該切り込み２３と同径の円形の半切れ部２４を設けている。そして、本発明のラップフィルム収納カートンにおいては、ラップフィルム端のカートン内への巻戻りを防止するフィルム保持部Ｐを設けている。
【００２２】
このフィルム保持部Ｐには、ラップフィルムに対する密着性の良好なシリコン変性アクリル樹脂を主成分とする塗膜層を用いており、このシリコン変性アクリル樹脂では、メチルポリシロキサン、エチルポリシロキサン、ジメチルポリシロキサン、ジエチルポリシロキサンなどのシロキサンからなる中間体を用いて変性した樹脂で、あらかじめ、オリゴマー化した反応基を有するシロキサンを用いて、剥離性、耐熱性などを付与している。また、反応基には、Ｓｉ−ＯＨ、Ｓｉ−ＯＭｅを用い、これらの反応基と反応するアクリル樹脂をブレンド、クッキングして変性している。アクリル樹脂としては、アクリル酸エステル、メタクリル酸エステルなどを使用することができる。このシリコン変性アクリル樹脂では、シリコーン含有量が高いほど対候性がよくなるが、コストの面から５０％以下とすることが好ましい。このシリコン変性アクリル樹脂は、塗布後、架橋、硬化により乾燥した塗膜層を形成するタイプのものではなく、溶剤成分の加熱乾燥により乾燥した塗膜層を形成できるタイプのものであり、塗膜層の形成には、架橋反応のための特別な硬化装置を必要とせず、通常のグラビア印刷機などにより容易に塗膜層を形成できるものである。
【００２３】
以上のようなシリコン変性アクリル樹脂を主成分とする塗膜層は、通常、これらの樹脂を有機溶剤で溶解し、グラビア印刷など適用する塗布手段に適した粘度、蒸発速度等に調整して塗布液とし、これを塗布、乾燥することにより形成される。そして、その塗膜層の表面は平滑である方がラップフィルムとの密着性がよく、フィルム保持性が向上する。従って、塗膜層を形成する塗布液は、低粘度であって、塗布後表面がレベリングするよう徐々に乾燥させることが好ましい。
【００２４】
また、乾燥時の塗膜層の厚さは、２〜１０μｍ程度でよく、３〜６μｍが塗布の作業性も良好で好ましい。２μｍ未満の場合は、表面の平滑性が不充分でラップフィルムの保持性が低下し、１０μｍを越えると、ラップフィルムの保持性が更に向上することもなく、材料の無駄であり、作業性の点でも好ましくない。
塗膜層を設ける場所は、カートン本体からラップフィルムが引き出され、切断された後、ラップフィルムがカートンに接触する面であればどこでもよく特に限定はされない。只、一般的にはラップフィルムを切断する際、カートン本体の前板部とこれに重なる蓋部との間でラップフィルムを挟んで、外側から押さえながら切断するため、ラップフィルムはカートンの前板部に押しつけられ密着し易くなる。従って、フィルム保持用の塗膜層は、この前板部表面のフィルムが挟まれる位置に設けることが好ましい。また、この塗膜層の大きさと形状は自由であり、ラップフィルムの材質やカートン形状或いは切断具の取り付け位置などによりフィルム保持性が安定するように自由に決めてよい。
【００２５】
つぎに、このようなラップフィルム収納カートンＡの場合には、ブランク１０は次のように組み立てられる。
まず、ブランク１０を各折り曲げ線ａ、ｂ、ｃ、ｄ、ｅ、ｆに沿って折り曲げ、折り込み片１７の裏面を前板１１の裏面に貼着し、つづいて、第二側片２０、２０´の表面と側板１９、１９´の裏面との間に第一側片１８、１８´を挟み込んで各接触面をそれぞれ貼着することによってカートンの収納部が形成される。また、蓋部は、側蓋片２２、２２´の表面と側蓋板２１、２１´の裏面とを貼着することにより形成される。
【００２６】
こうして組み立てられたラップフィルム収納カートンＡには、収納部の凹部にロール状のラップフィルムなどが収納される。そして、前板１１の半切れ部２４に重なるように帯状に塗布された接着剤によって前板１１の表面と掩蓋片１５の開封片１６の裏面とが貼着され、それによりカートンが密封される。その場合、オーバープリントニスの抜かれた半切れ部２４の内側のみが開封片１６の切り込み２３の内側と接着される。
【００２７】
使用時においては、図５に示すように、開封片１６を半円状の切り込み２３の基端側の摘まみ部２５をつまんで開封片１６を切り取り線Ｌの箇所から切り離すと、接着部である半切れ部２４の内側の表面の紙が層間剥離することによってカートンが開封され、その開封部から切断刃Ｈが露出する。また、それと同時にカートンの内部の収納されたロール状のラップフィルムＦも露出するため、ラップフィルムＦを必要量だけ繰り出して切断刃Ｈにより切断することが可能となる。
【００２８】
以下に具体的な実施例を挙げて本発明を説明する。
〔実施例１〕
坪量４５０ｇ／ｍ2 のコートボール（板紙）をカートン材料とし、グラビア輪転印刷打ち抜きのインライン装置を使用して、所定の絵柄及びオーバープリントニスの印刷とインラインでラップフィルム保持部にシリコーン変性アクリル樹脂からなる塗布液（商品名：ＷＧ（日本加工塗料株式会社製））を用いて、図４に示した位置に塗布、乾燥して形成すると共に、図４に示す形状に打ち抜いてカートンブランクを作成した。続いて、ストレートな鋸刃状の切断刃Ｈを同じく図４に示した位置に専用の装置で取り付け、更に、サック貼り機で胴貼りを行って実施例１のラップフィルム収納カートンを作成した。
【００２９】
上記の方法で作成したラップフィルム収納カートンに、ポリ塩化ビニリデン系樹脂のラップフィルム、ポリ塩化ビニル系樹脂のラップフィルム、ポリエチレン系樹脂のラップフィルムを別々に充填包装した後、それぞれを開封し、ラップフィルムを引出し、切断し、ラップフィルムの塗膜層への密着によるフィルム保持性を評価した。その結果は、いずれも密着性が良く、充分なフィルム保持性を示し、かつ、密着性が強すぎてフィルム切れを生じることもなく良好であった。
【００３０】
【発明の効果】
本発明のラップフィルム収納カートンは、使用時に引き出されたラップフィルム端がカートン内へ巻戻るのを防止するためのフィルム保持部として、溶液中の溶剤成分を加熱乾燥させることにより乾燥した塗膜を形成できるシリコン変性アクリル樹脂を主成分とした塗布液を、カートンの所定部分にグラビア印刷機などにより塗布、乾燥して形成した塗膜層を用いており、このシリコン変性アクリル樹脂の塗膜層が、ラップフィルムに対して良好な密着性を有すると共に、表面が平滑に形成されるため、ラップフィルムをよく密着させ、保持するものである。また、平滑な面に密着しすぎても、容易にラップフィルムを引き出すことを可能であるラップフィルム収納カートンを得ることが出来る。
【図面の簡単な説明】
【図１】本発明によるラップフィルム収納カートンの第一の実施の形態を示す概略斜視図である。
【図２】本発明によるラップフィルム収納カートンの第二の実施の形態を示す概略斜視図である。
【図３】本発明によるラップフィルム収納カートンの第三の実施の形態を示す概略斜視図である。
【図４】本発明によるラップフィルム収納カートンの第一の実施の形態のブランクの展開図である。
【図５】本発明によるラップフィルム収納カートンの第一の実施の形態の開封状態を示す斜視図である。
【符号の説明】
Ａ  ラップフィルム収納カートンの第一の実施の形態
Ｂ  ラップフィルム収納カートンの第二の実施の形態
Ｃ  ラップフィルム収納カートンの第三の実施の形態
Ｈ  切断刃
Ｌ  切り取り線
Ｆ  ラップフィルム
１０  ブランク
１１  前板
１２  底板
１３  後板
１４  蓋板
１５  掩蓋片
１６  開封片
１７  折り込み片
１８  第一側片
１９  側板
２０  第二側片
２１  側蓋板
２２  側蓋片
２３  切り込み
２４  半切れ部
２５  摘まみ部
ａ〜ｆ罫線
【図１】
0004202499.tif 000002
【図２】
0004202499.tif 000003
【図３】
0004202499.tif 000004
【図４】
0004202499.tif 000005
【図５】
0004202499.tif 000006